(57)【要約】【課題】金網の下部の線材を杭で地面に固定する際に、作業しやすくする。【解決手段】金網の線材を引っ掛ける引掛部４を形成させる丸杭２の曲げ方向と、下方側先端部６に取り付ける返し板７とが直交するように配置する。【選択図】図１
2017153374.tif 000002
【特許請求の範囲】
【請求項１】
棒状である杭の、上方側先端部となる一方の側が折り返された構造の引掛部を有する金網固定用の杭であって、
他方の側の下方側先端部に、前記他方の先端側が尖っており反対側に返し部を有する平板状の返し板を、杭の長さ方向に沿って有し、
上記上方側先端部となる折り返し方向に対する、上記返し板の配置は、上記杭の上記先端側と折り返していない支柱部とで形成される仮想的な平面と、上記返し板とが、直交する位置関係となる金網固定用杭。
【請求項２】
上記返し板が上記返し部となる二角が等しい二等辺三角形である請求項１に記載の金網固定用杭。
【請求項３】
土の地面に立設した金網を地面に対してさらに固定する金網の固定方法であって、
請求項１又は２に記載の金網固定用杭を、上記金網の線材と上記返し板との向きを平行にして、上記引掛部を上記金網の線材に引っ掛けて地面に打ち込む、金網の固定方法。
【請求項４】
土の地面に立設した金網を地面に対してさらに固定する金網の固定方法であって、
上記金網の底部に接するように、別途地面に敷設した追加敷設金網を配置し、上記金網の線材と、上記追加敷設金網の線材との方向を揃えて、
請求項１又は２に記載の金網固定用杭を、上記金網の線材と上記追加敷設金網の線材と上記返し板との向きを平行にして、上記引掛部を上記金網の線材と上記追加敷設金網の線材との両方に引っ掛けて地面に打ち込む、金網の固定方法。
【発明の詳細な説明】
【技術分野】
【０００１】
この発明は、金網を地面に強固に固定するための杭に関する。
【背景技術】
【０００２】
野生動物が多く棲息する地域では、山から下りてくる野生動物による様々な害に曝されている。例えば、農地に侵入した野生動物に作物を荒らされたり、樹木が食害に遭ったり、道路や線路に飛び出した野生動物と衝突したりといったことが挙げられる。これら野生動物を全て駆除することは現実的ではない。そこで、野生動物が通過できないように隔壁や金網を設けて、野生動物の生息地域と人間の活動地域を分けたり、農地を囲ったりすることで、野生動物との共存を図ることが行われている。
【０００３】
もっとも、コンクリートや金属板による隔壁を設けるには費用と手間がかかるため、多くの場合は金網を張り巡らせることで上記のような隔離共存を実現しようとしている。例えば特許文献１に記載のように、間隔を空けて打ち込んだ支柱（文献中の「杭」）の間に、亀甲金網などの耐久性と柔軟性の高い金網を設けることが多い。これは、野生動物が金網に突進する場合が多いため、金網を長持ちさせるとともに、野生動物にできるだけ怪我をさせないようにするためである。
【０００４】
しかしながら、鹿や猪の成体による突進は強力であり、支柱と金網を頑丈に設置させようとしても、金網をめくられたり、引きはがされたりしてしまうおそれがある。猪や鹿の突進を受けると、これを受けた金網の下部が地面から引き離されて隙間を生じさせられてしまい、そこから侵入されるおそれがある。
【０００５】
そこで、金網の下部に隙間を空けられないように、支柱に加えて金網の下部を固定する杭を打ち込むことが行われている。この杭には様々な形状のものが提案されており、金網を固定する引掛部と、地面から抜けにくくするための返し板を有することはほぼ共通している。例えば、特許文献２の図１１及び［００３０］に記載のアンカーピンが挙げられる。
【０００６】
このアンカーピンとして開示されている金網固定用杭１１の形状を図６（ａ）の斜視図、（ｂ）の正面図、（ｃ）の側面図、（ｄ）の底面図に示す。金属製である丸杭１２の上方約４分の１程度の上方側先端部１３を１３５度以上曲げて斜め下へ向けてある。曲げた部分が金網の下部を引っ掛ける引掛部１４となっている。引掛部１４より下の支柱部１５の下側の先端となる下方側先端部１６の近傍側面には、土中に突き刺した後に抜けにくくする返し板１７となる三角形の金属板が溶接されている。この返し板１７の金属板は、支柱部１５と上方側先端部１３とが仮想的に形成する平面に揃えて溶接（２０）してある。真横から見ると図６（ｃ）のように、真下から見ると図６（ｄ）のようになる。このように上方側先端部１３の向きと支柱部１５の平面とを揃えることで、格納する際の占有領域を薄くできるため、多数打ち込まねばならない現場へ持ち込む際に嵩張らなくなっている。
【０００７】
この金網固定用杭１１により金網を固定する状況の例を図７（ａ）（ｂ）に示す。地面に打ち込んだ支柱２１、２１間に張り巡らせた金網の、地面に接する下端部分の底部緯線２３に、金網固定用杭１１、１１を複数打ち込んでいる。この底部緯線２３は地面に接するところで揃える場合もあるが、めくれにくくするために図７（ｂ）に示すように一部を地面に敷いておき、その先端を金網固定用杭１１で固定する場合もある。この金網固定用杭１１の引掛部１４を金網の底部緯線２３に引っ掛けて地面に打ち込む際の、上から見た位置関係を図８に示す。
【先行技術文献】
【特許文献】
【０００８】
【特許文献１】特開２０１１−１４７４２５号公報
【特許文献２】特開２０１２−０２９６６１号公報
【発明の概要】
【発明が解決しようとする課題】
【０００９】
しかしながら、金網固定用杭１１を図８のようにして地面に打ち込む場合、挿入可能幅Ｌが狭く、三角形の返し板１７が金網の底部緯線２３と干渉しやすい位置関係にあるため、支柱部１５の先端を打ち込む位置取りはある程度精密さが要求される。例えば図７の打ち込み例のように斜めに配置させるなどの工夫が必要となる。このため、多数の杭を打ち込む必要がある場合には、位置取りを確実に行うために多少の手間がかかっていた。
【００１０】
そこでこの発明は、金網を地面に対して強固に固定させるにあたり、金網と干渉しにくく、杭を打ち込みやすくして、金網を地面に固定する作業の効率を上げることを目的とする。
【課題を解決するための手段】
【００１１】
この発明は、棒状である杭の、上方側先端部となる一方の側が折り返された構造の引掛部を有する金網固定用の杭を、
他方の側の下方側先端部に、前記他方の先端側が尖っており反対側に返し部を有する平板状の返し板を、杭の長さ方向に沿って有するものとし、
上記上方側先端部となる折り返し方向に対する上記返し板の配置を、上記杭の上記先端側と折り返していない支柱部とで形成される仮想的な平面と、上記返し板とが、直交する位置関係とすることで、上記の課題を解決したのである。
【００１２】
主に防獣用である金網の下端部分を地面に対して強固に固定する際にこの発明は効果を発揮する。この発明にかかる金網固定用杭を、金網の線材と上記返し板とを平行に揃えて地面に打ち込む。こうすると上記引掛部を金網の下端部分の緯線に引っ掛ける幅に余裕が出来、打ち込む作業に要求される位置の精度が低くなる。これにより、従来よりも素早く打ち込み作業を進めることができるため、金網の下部の固定を従来よりも効率良く行うことができる。
【発明の効果】
【００１３】
この発明にかかる金網固定用杭により、金網を地面に固定する作業の効率を従来より向上させることができる。防獣用の金網を地面に強固に固定しやすくなり、多数の杭を素早く打ち込むことができる。作業効率が向上し、打ち込み本数を増やしてより強固に地面に固定させることができる。
【図面の簡単な説明】
【００１４】
【図１】（ａ）この発明にかかる金網固定用杭の実施形態の斜視図、（ｂ）（ａ）の正面図、（ｃ）（ａ）の側面図、（ｄ）（ａ）の底面図
【図２】この発明にかかる金網固定用杭により防獣用金網を固定する際の状況例を示す正面図、（ｂ）（ａ）の支柱に沿った断面図
【図３】金網を構成する線材に引掛部を掛けて地面に打ち込む際の作業形態を示す平面図
【図４】（ａ）金網の下部が地面に沿って敷かれている場合の線材の固定方法を示す状況図、（ｂ）金網の下部が支柱同士の間にとどまっている場合の線材の固定方法を示す状態図
【図５】（ａ）立設した金網に敷設金網を隣接させるように固定する際の支柱に沿った断面図、（ｂ）（ａ）の隣接部分の拡大図
【図６】（ａ）従来の金網固定用杭の実施形態の斜視図、（ｂ）（ａ）の正面図、（ｃ）（ａ）の側面図、（ｄ）（ａ）の底面図
【図７】従来の杭により防獣用金網を固定する際の状況例を示す正面図、（ｂ）（ａ）の支柱に沿った断面図
【図８】金網の下部の線材に引掛部を掛けて地面に打ち込む際の作業形態を示す平面図
【発明を実施するための形態】
【００１５】
以下、この発明の実施形態について詳細に説明する。この発明は、金網の下端側を地面に対して頑丈に固定するための金網固定用杭、及びそれを用いた金網の固定方法である。
【００１６】
この発明にかかる金網固定用杭１の実施形態を図１（ａ）〜（ｃ）に示す。図１（ａ）が斜視図、図１（ｂ）が正面図、図１（ｃ）が側面図である。この金網固定用杭１は、円柱状であり途中で曲がった部分を有する丸杭２と、突き刺しやすい尖端部８と抜け止めとなる返し部９を有する返し板７とで構成されている。丸杭２と返し板７とはどちらも金属製であるとよく、土中に埋め込むため錆に強いステンレス製であることが望ましい。耐錆性の点からは強度のある樹脂製でもよいが、耐久性及び強度の点からは鉄にクロムメッキをしたものや、ステンレス製などの方が好ましい。樹脂製の場合は一体成形可能であるが、金属製の場合は丸杭２と返し板７とを溶接（２０）で接合するとよい。
【００１７】
丸杭２は、杭として突き刺すべき支柱部５を有し、上方側から全体の５分の１から３分の１ほどのところで、斜め下又は下方向に向くように曲がった部分を有する。この曲がった部分より短い側の先の方を上方側先端部３と呼ぶ。曲がった部分より長い側が支柱部５として主に土中に埋設する部分となる。その先の方を下方側先端部６と呼ぶ。
【００１８】
一方、上記の曲がった部分が引掛部４として金網の下部の線材に引っ掛けて固定する部分となるため、金網が衝撃を受けても外れないように、支柱部５と上方側尖端部３との為す角度が１３５度以上で曲がっているとよい。それ以上の角度であれば特に問題はなく、１８０度でもよい。ただし、曲がった部分の内側に金網を構成する鉄線を配置させるため、この引掛部４の内側の曲率半径ｒは３ｍｍ以上１ｃｍ以下程度であるとよい。
【００１９】
丸杭２の直径は特に限定されないが、概ね直径５ｍｍ以上１５ｍｍ以下程度であると利用しやすい。また、丸杭２の下方側先端部６から引掛部４の曲線に沿って上方側先端部３までの長さ（全長）は、特に限定されないが、３０ｃｍ以上１００ｃｍ以下だと概ね容易に打ち込みやすい。引掛部４から上方側先端部３までの長さは、特に限定されないが、１０ｃｍ以上２０ｃｍ以下であると金網を引っ掛けやすい。
【００２０】
また、丸杭２の下方側先端部６の先端は角錐状又は円錐状に尖っていると、打ち込みやすく好ましい。
【００２１】
丸杭２には、下方側先端部６の近傍に、支柱部５に沿って下向きに尖った二等辺三角形の板からなる返し板７が取り付けられている。下側の尖端部８が４５度より小さい鋭角となっていることで地中へ突き刺しやすい。一方で、それ以外の上側の２角からなる返し部９、９は４５度より大きく、地中に突き刺さった後、土にひっかかって抜けにくくなる効果を発揮する。なお、返し板７は製造の点からは三角形であると好ましいが、返しの効果を強めるため、返し部９，９から中心に向かって凹みのある四角形などのように変形されたものでもよい。いずれの形態でも、下側の尖端部が尖っていて突き刺しやすく、上側は抜け止めとなるものである平板である。
【００２２】
この発明にかかる金網固定用杭１は、金網の下部の線材を地面に対して固定するために、引掛部４で線材を引っ掛けて、地面に打ち込まれる。この実施形態を図２（ａ）の正面図、図２（ｂ）の側面断面図に示す。なお、この図では格子状の緯線２２と経線２４とからなる金網を例にとっているが、金網の形態はこれに限られるものではなく、亀甲金網などであってもよい。いずれの場合でも、下部の引っ掛けられる部分に引掛部４を引っ掛けることとなる。
【００２３】
この金網固定用杭１を用いた金網の固定方法を実施する、すなわち杭を打ち込む際に、返し板７の配置は、上記の引掛部４で曲げられた上方側先端部３と支柱部５とにより形成される仮想的な平面Ｈに対して直交する配置となる。その位置関係と、地中に打ち込むときの金網の線材との配置を図３に示す。この図は引掛部４を上から見た図であり、打ち込むときにハンマーで引掛部４を叩こうとする作業者の視点の概念図である。図中左右へ金網の下端部分の緯線である底部緯線２３が横切っており、上記三角形の返し板７はこの金網の下端部分の底部緯線２３と平行に、仮想平面Ｈは底部緯線２３と直交する位置関係となる。すなわち、返し板７が底部緯線２３と干渉することなく引掛部４を底部緯線２３に引っ掛けることができる。
【００２４】
この金網固定用杭１を地中に打ち込んだ状態の地中を含めた断面図を図４（ａ）（ｂ）に示す。図４（ａ）は金網の先端を延ばして地面に這わせた場合であり、図４（ｂ）は支柱間で金網を留めた場合である。すなわち、図４（ａ）では支柱２１間の最下部にある底部緯線２３よりも先の部分が地面に這うように延びており、その先端部にある延長部緯線２５を地面に固定している。一方、図４（ｂ）では支柱２１間の最下部にある底部緯線２３で金網の終端になっており、この底部緯線２３を地面に固定している。いずれの場合でも、図３に示すように、返し板７が延長部緯線２５又は底部緯線２３と干渉せずに打ち込まれている。
【００２５】
緯線と経線からなる格子状金網だけでなく、亀甲金網その他の場合であっても、金網を構成する線材に対して、返し板７を平行に配置させて金網固定用杭１を打ち込めばよい。
【００２６】
さらに、支柱２１間にある底部緯線２３が金網の終端になっている場合に、それに隣接させて追加敷設金網２６を設けて、追加的に防獣効果を高める実施形態を図５（ａ）（ｂ）に示す。追加敷設金網２６として、敷設緯線２７と敷設経線３０とからなる格子型金網を敷設するとする。敷設緯線の一方の端部にある敷設端部緯線２９を、立設させた金網の底部緯線２３に隣接させるように配置する。そして、敷設端部緯線２９と、底部緯線２３とを、まとめて一つの金網固定用杭１の引掛部４に引っ掛けて固定する。さらに、追加敷設金網２６の他方の端部にある敷設端部緯線２８についても、別途に金網固定用杭１を打ち込んで固定する。これにより、敷設部分のなかった金網についても、敷設して固定された部分と繋がり、防獣効果を高めることができる。
【符号の説明】
【００２７】
１、１１  金網固定用杭
２、１２  丸杭
３、１３  上方側先端部
４、１４  引掛部
５、１５  支柱部
６、１６  下方側先端部
７、１７  返し板
８  尖端部
９  返し部
１０，２０  溶接部
２１  支柱
２２  緯線
２３  底部緯線
２４  経線
２５  延長部緯線
２６  追加敷設金網
２７  敷設緯線
２８、２９（合体側）  敷設端部緯線
３０  敷設経線
Ｈ  仮想平面
ｒ  曲率半径
Ｌ  挿入可能幅
【図１】
2017153374.tif 000003
【図２】
2017153374.tif 000004
【図３】
2017153374.tif 000005
【図４】
2017153374.tif 000006
【図５】
2017153374.tif 000007
【図６】
2017153374.tif 000008
【図７】
2017153374.tif 000009
【図８】
2017153374.tif 000010